(57)【要約】【課題】外部からの水の浸入を抑えて絶縁不良や通電不良等を防ぎ、又コード引き出し孔から引き出されたコード群を、コード受け片の先端部に沿って迂回させて上端縁の凹部に受止させる作業が容易にできるようにした電動圧縮機のターミナル保護部材を提供する。【解決手段】ターミナルフェンス１と、このターミナルフェンス１に嵌着するターミナルカバー２とから構成される保護部材により、密閉容器１２の頂部に取り付けたターミナル３を保護する電動圧縮機において、前記ターミナルカバー２は、側面に形成されたコード引き出し孔９と、このコード引き出し孔９に対向して形成されたコード受け片１１とを備え、コード受け片１１はターミナルカバー２の下端縁より下方にずらせて形成する。コード受け片１１の先端部１１ｂは湾曲形状に形成し、コード引き出し孔９の周縁に形成したひさし状の突起１５の下端部にも湾曲部を形成することにより、先端部１１ｂに沿ってコード群２０を迂回させ易くする。【選択図】図２
2010013985.tif 000002
【特許請求の範囲】
【請求項１】
電動機構部と、この電動機構部により作動される圧縮機構部とを収納した密閉容器の蓋体頂部に、前記電動機構部へ通電するためのターミナルが装着され、当該ターミナルの外部電気接続部を保護するためにターミナルフェンスと、このターミナルフェンスに嵌着するターミナルカバーとからなる保護部材が取り付けられた電動圧縮機において、前記ターミナルカバーは、側面に形成されたコード引き出し孔と、このコード引き出し孔に対向して形成されたコード受け片とを備え、前記コード受け片は前記ターミナルカバーの下端縁より下方にずらせて形成したことを特徴とする電動圧縮機のターミナル保護部材。
【請求項２】
前記コード受け片は、上端縁にコードを受止する凹部が設けられており、前記コード引き出し孔から出されたコードを、当該コード受け片の先端部を迂回させて前記凹部に嵌め込む作業がし易いように、前記先端部が湾曲形状に形成されていることを特徴とする請求項１に記載の電動圧縮機のターミナル保護部材。
【請求項３】
前記コード引き出し孔は、周縁部に沿ってひさし状の突起が設けられており、この突起のうち前記コード受け片の先端部側に対向する下端部に、前記コードの迂回を容易にするための湾曲部が形成されていることを特徴とする請求項２に記載の電動圧縮機のターミナル保護部材。
【発明の詳細な説明】
【技術分野】
【０００１】
本発明は、電動圧縮機に係るもので、特に密閉容器に装着したターミナルを保護するための保護部材の改良に関する。
【背景技術】
【０００２】
一般に、電動圧縮機は密閉容器内に電動機構部と、この電動機構部により作動される圧縮機構部とが収納され、当該密閉容器にはターミナルが装着され、このターミナルを介して前記電動機構部に通電して圧縮機構部を作動させる。そして、導入管により圧縮機構部に気体（通常は冷媒）を導入して圧縮すると共に、密閉容器内に吐出された高圧気体を吐出管により外部に取り出すようにしてある。
【０００３】
前記ターミナルは、密閉容器外に位置している外部電極に電源からのコード端子が接続されるため、当該電気接続部が外部に露出してしまう。このように電気接続部が外部に露出していると、塵や埃が付着し或は水分が付着して絶縁性の低下や通電不良等を引き起こすことがある。
【０００４】
このような事態に対処するために、従来ターミナルの外部電気接続部を保護するようにした技術が特許文献１、２等に開示されている。
【特許文献１】特開２００８−７５５４７
【特許文献２】特開２００６−２２００００
【発明の開示】
【発明が解決しようとする課題】
【０００５】
図６に示すように鋼板製のターミナルフェンス１と、このターミナルフェンス１に弾性的に嵌着する合成樹脂製のターミナルカバー２とからなる保護部材でターミナル３を保護する場合は、ターミナルフェンス１の側部に立ち上げて形成された複数の受止片４、５、６の内側にターミナルカバー２の側壁部分２ａを嵌着すると共に、ターミナルフェンス１の端部に対設した係止片７、８の係合孔７ａ、８ａにターミナルカバー２の端壁の下部に形成した突起２ｂ、２ｃをそれぞれ嵌合係止することによりターミナルカバー２を取り付ける構成になっている。
【０００６】
上記従来のターミナル保護部材におけるターミナルカバー２は、図７に示すようにコード引き出し孔９の好ましい位置と大きさを確保するために、当該コード引き出し孔９の上縁はターミナルカバー２の側面のかなり高い領域に位置させなければならない。このため、図６のようにコード引き出し孔９の形状が大きくなり、外部から水が浸入し易くなって絶縁不良や通電不良等を引き起こすことがある。
【０００７】
又、コード引き出し孔９から引き出された複数本（３〜５本）のコード群２０は、ターミナルカバー２のコード受け片１１の先端部に沿って下方から上方に迂回させて上端縁の凹部１１ａに受止させるが、図８のように当該コード受け片１１とコード引き出し孔９の側縁との間隔が狭く、且つ図７のようにコード受け片１１の先端部が角張っているためコード群２０を迂回させる作業がし難くなっている。更に、コード引き出し孔９の周縁部に沿って突起９ａが設けられているが、この突起９ａの下端部が邪魔となって前記コード群２０の迂回作業を妨げている。
【０００８】
本発明は、このような従来技術における不具合を解消するためになされ、ターミナルカバーのコード引き出し孔の形状を小さくすることにより、外部からの水の浸入を抑えて絶縁不良や通電不良等を防ぎ、又コード引き出し孔から引き出されたコード群を、コード受け片の先端部に沿って迂回させて凹部に受止させる作業が容易にできるようにした電動圧縮機のターミナル保護部材を提供することを目的とする。
【課題を解決するための手段】
【０００９】
上記の目的を達成するための手段として、本発明の請求項１は、電動機構部と、この電動機構部により作動される圧縮機構部とを収納した密閉容器の蓋体頂部に、前記電動機構部へ通電するためのターミナルが装着され、当該ターミナルの外部電気接続部を保護するためにターミナルフェンスと、このターミナルフェンスに嵌着するターミナルカバーとからなる保護部材が取り付けられた電動圧縮機において、前記ターミナルカバーは、側面に形成されたコード引き出し孔と、このコード引き出し孔に対向して形成されたコード受け片とを備え、前記コード受け片は前記ターミナルカバーの下端縁より下方にずらせて形成した電動圧縮機のターミナル保護部材を特徴とする。
【００１０】
本発明の請求項２は、請求項１の電動圧縮機のターミナル保護部材において、前記コード受け片は、上端縁にコードを受止する凹部が設けられており、前記コード引き出し孔から出されたコードを、当該コード受け片の先端部を迂回させて前記凹部に嵌め込む作業がし易いように、前記先端部が湾曲形状に形成されていることを特徴とする。
【００１１】
本発明の請求項３は、請求項２の電動圧縮機のターミナル保護部材において、前記コード引き出し孔は、周縁部に沿ってひさし状の突起が設けられており、この突起のうち前記コード受け片の先端部側に対向する下端部に、前記コードの迂回を容易にするための湾曲部が形成されていることを特徴とする。
【発明の効果】
【００１２】
上記請求項１の発明によれば、密閉容器の蓋体頂部にターミナルフェンスと、このターミナルフェンスに弾性的に嵌着するターミナルカバーとからなる保護部材を取り付けた電動圧縮機において、前記ターミナルカバーに形成するコード受け片をターミナルカバーの下端縁より下方にずらせて形成したので、このコード受け片に対向するコード引き出し孔の上縁は、従来よりも低い領域に位置させることが可能となる。これにより、ターミナルカバーのコード引き出し孔の形状を従来よりも小さくすることができ、外部からの水の浸入を抑えて絶縁不良や通電不良等を防ぐことができる。
【００１３】
上記請求項２の発明によれば、前記コード受け片は、先端部が湾曲形状に形成されているため、前記コード引き出し孔から出されたコード群を、コード受け片の先端部に沿って下方から上方に迂回させて上端縁の凹部に嵌め込む作業がし易くなる。
【００１４】
上記請求項３の発明によれば、前記コード引き出し孔は、周縁部に沿ってひさし状の突起が設けられており、この突起のうち前記コード受け片の先端部側に対向する下端部に、前記コードの迂回を容易にするための湾曲部が形成されているため、コード引き出し孔から出されたコード群を、コード受け片の先端部に沿って下方から上方に迂回させる作業が一層し易くなる。
【発明を実施するための最良の形態】
【００１５】
次に、本発明の実施形態を添付図面に基づいて説明する。
図１は、本発明に係る電動圧縮機のターミナル保護部材の実施形態を示す概略分解斜視図である。図６に示す従来例と実質的に同じ部材は前記と同じ符号を付けて説明する。
【００１６】
図１において、１は鋼板製のターミナルフェンスであり、密閉容器１２の蓋体１２ａの頂部に装着したターミナル３を貫通固定させて蓋体１２ａに取り付けてある。このターミナルフェンス１は、基板１ａの側部に受止片４、５を立ち上げて対設すると共に、受止片４側の側部に小形の受止片６を立ち上げて設け、更に端部には係止片７、８を立ち上げて対設し、これらの係止片７、８には係合孔７ａ、８ａをそれぞれ形成してある。
【００１７】
２は合成樹脂製のターミナルカバーであり、下方に開口する略ボックス形を呈しており、前記ターミナルフェンス１に落とし込んで着脱可能に嵌着することにより保護部材１６（図２）を構成し、この保護部材１６によりターミナル３の外部電気接続部を被覆して保護するようにしてある。
【００１８】
このターミナルカバー２は、前記ターミナルフェンス１の受止片４の内側に嵌合係止する側壁部分２ａは、外側に突起部１３が形成されると共にこの突起部１３の下方に傾斜面１４が内向きに形成されている。この場合、突起部１３も下方に行くにつれて内側に傾斜する傾斜面に形成されている。前記受止片５、６の内側に嵌合係止する側壁部分も同様に、突起部１３と傾斜面１４とが形成されている。
【００１９】
又、ターミナルカバー２の対向する端壁の外側下部には前記係止片７、８の係合孔７ａ、８ａにそれぞれ係合する突起２ｂ、２ｃがそれぞれ設けられている。更に、ターミナルカバー２の一方の側部にはコード引き出し孔９が設けられ、このコード引き出し孔９に対向させてコード受け片１１がほぼＬ字形に突出して設けられ、当該コード受け片１１の上端縁に凹部１１ａが形成されている。
【００２０】
この場合、コード受け片１１は、図２及び図３に示すようにターミナルカバー２の上端縁より下方にずらせて従来よりも低い位置に形成してあり、当該コード受け片１１の先端部１１ｂは、従来よりも高さが低く且つ全体を小型化すると共に、外周縁は湾曲形状に形成してある。又、コード受け片１１の凹部１１ａは、従来よりも横幅を広くし、コード引き出し孔９の横幅も従来よりも広く形成してある。
【００２１】
前記コード引き出し孔９は、上記のようにコード受け片１１が従来よりも下方にずらせて形成されているため、それに対応させて従来よりも低い領域に位置させることが可能となる（図２参照）。即ち、コード受け片１１に対向するコード引き出し孔９の上縁は、ターミナルカバー２の側面において従来よりも低い位置に設定することができる。これにより、コード引き出し孔９の形状を従来よりも小さく形成して、外部からの水の浸入を抑えて絶縁不良や通電不良等を防ぐことができる。
【００２２】
又、コード引き出し孔９の周縁部にはひさし状の突起１５が設けられており、図１及び図５に示すようにこの突起１５のうち前記コード受け片１１の先端部１１ｂ側に対向する下端部に、前記コード群２０の迂回を容易にするための湾曲部１５ａが切り欠きにより形成されている。
【００２３】
このひさし状の突起１５は、図６に示した従来の突起９ａよりも突出量が遥かに大きく形成され、このためコード引き出し孔９に対する上方又は側方からの水の浸入を確実に抑えることができる。
【００２４】
このようにひさし状の突起１５を大きく形成するために、前記コード受け片１１の突出量も大きく設定してある。この結果として、コード引き出し孔９とコード受け片１１との間の間隔が従来よりも大きくなり、コード群２０の迂回のためのスペースが増大して迂回作業がし易くなる。尚、密閉容器１２の蓋体１２ａは段付きの２段構造となっているため、図３に示すようにひさし状の突起１５の下方に比較的大きな空間部Ｓが生じるのでコード群２０の迂回作業にとって好都合であり、又前記のようにコード受け片１１の位置を下方にずらせても支障は生じない。
【００２５】
図２は、ターミナルフェンス１にターミナルカバー２を嵌着して保護部材１６を形成した状態を示す概略側面図である。図１に示すように、前記ターミナル３において導電ピンで形成されている外部電極３ａには、電源側からの複数（３本）のコード１０の先端部に取り付けたコネクタ１７が接続され、ターミナルカバー２の内部にはリレー部品１８が収納される。
【００２６】
ターミナルカバー２の嵌着後に、前記コード１０とリレー部品１８に接続された複数（２本）のコード１９をまとめて一束にした状態で、前記コード引き出し孔９から外部に引き出された当該コード群２０を、コード受け片１１の先端部１１ｂを迂回させて上端縁の凹部１１ａに受止させる。これはコード群２０と蓋体１２ａとの接触を避けるためである。電動圧縮機の使用時においては、密閉容器１２が高温となるためコード群２０を蓋体１２ａの高熱から保護する必要がある。
【００２７】
図４及び図５は、前記コード引き出し孔９から外部に引き出されているコード群２０を、コード受け片１１の先端部１１ｂを迂回させて上端縁の凹部１１ａに受止させる状態を示している。この場合は、前記のようにコード受け片１１の先端部１１ｂは、高さが低く且つ全体を小型化すると共に、外周縁は湾曲形状に形成してあるため、図４に示すようにコード群２０を先端部１１ｂに沿って下方から上方に迂回させる作業が従来よりも容易になる。
【００２８】
又、図５に示すように、前記ひさし状の突起１５のうちコード受け片１１の先端部１１ｂ側に対向する下端部に、コード群２０の迂回を容易にするための湾曲部１５ａが切り欠きにより形成されており、しかもコード引き出し孔９とコード受け片１１との間の間隔が従来よりも大きく、コード群２０の迂回のためのスペースが増大しているため、コード群２０の迂回作業をきわめて容易に行うことができる。
【産業上の利用可能性】
【００２９】
本発明は、電動圧縮機のターミナル保護部材として広く適用することができる。
【図面の簡単な説明】
【００３０】
【図１】本発明に係る電動圧縮機のターミナル保護部材の実施形態を示す概略分解斜視図である。
【図２】本発明に係る電動圧縮機のターミナル保護部材を取り付けた状態を示す概略側面図である。
【図３】同じく本発明に係る電動圧縮機のターミナル保護部材を取り付けた状態を示す概略断面図である。
【図４】本発明に係る電動圧縮機のターミナル保護部材において、コード受け片の先端部に沿ってコード群を迂回させる状態を示す説明図である。
【図５】同じく本発明に係る電動圧縮機のターミナル保護部材において、コード受け片の先端部に沿ってコード群を迂回させる状態を示す説明図である。
【図６】従来例における電動圧縮機のターミナル保護部材を示す概略分解斜視図である。
【図７】従来例のターミナル保護部材において、コード受け片の先端部に沿ってコード群を迂回させる状態を示す説明図である。
【図８】同じく従来例のターミナル保護部材において、コード受け片の先端部に沿ってコード群を迂回させる状態を示す説明図である。
【符号の説明】
【００３１】
１  ターミナルフェンス
２  ターミナルカバー
３  ターミナル
４、５、６  受止片
７、８  係止片
９  コード引き出し孔
１０  コード
１１  コード受け片
１１ａ  凹部
１１ｂ  先端部
１２  密閉容器
１３  突起部
１４  傾斜面
１５  ひさし状の突起
１５ａ  湾曲部
１６  保護部材
１７  コネクタ
１８  リレー部品
１９  コード
２０  コード群
【図１】
2010013985.tif 000003
【図２】
2010013985.tif 000004
【図３】
2010013985.tif 000005
【図４】
2010013985.tif 000006
【図５】
2010013985.tif 000007
【図６】
2010013985.tif 000008
【図７】
2010013985.tif 000009
【図８】
2010013985.tif 000010